(57)【要約】【課題】吸込面積を適切に増減させることで、室内の隅部を迅速でかつ手軽に掃除することができ、特に、吸い込まれる異物が吸込部分にはさまったり固着したりすることのない吸込ユニットを提供する。【解決手段】ゴミ吸込口を有し、真空掃除機の吸込管に着脱自在な吸込具本体と、前記吸込具本体に対して伸縮可能に結合され、被掃除部の、一定の角度を有する隅部に位置可変に対応し、伸縮方向に沿って前記ゴミ吸込口と連通する補助吸込口が形成されている補助吸込体と、を備える。【選択図】図１４
2004358212.tif 000002
【特許請求の範囲】
【請求項１】
ゴミ吸込口を有し、真空掃除機の吸込管に着脱自在の吸込具本体と、
前記吸込具本体に対して伸縮可能に結合され、一定の角度を有する、被掃除部の隅部に位置可変に対応し、伸縮方向に沿って前記ゴミ吸込口と連通する補助吸込口が形成されている補助吸込体と、
を備えてなることを特徴とする真空掃除機の吸込ユニット。
【請求項２】
前記補助吸込体は、
前記吸込具本体のゴミ吸込口に回動自在に結合された左右一対の回動ブラシと、
前記各回動ブラシの長さ方向に沿って引出し・戻し可能な伸縮ブラシと、を備え、
前記補助吸込口は、前記回動ブラシと前記伸縮ブラシの底面にそれぞれ長さ方向に沿って形成されていることを特徴とする請求項１に記載の真空掃除機の吸込ユニット。
【請求項３】
前記吸込具本体は、
前記ゴミ吸込口が下向きに開口し前記吸込管に向かうゴミ排出口を有し、前記ゴミ吸込口から下向きに延長し前記一対の回動ブラシを左右に回動自在に結合させるヒンジリブを有する中央ボディと、
前記中央ボディと前記吸込管が取り付けられ、前記一対の回動ブラシを回動可能に支持する本体ケーシングと、
を備えることを特徴とする請求項２に記載の真空掃除機の吸込ユニット。
【請求項４】
前記吸込管に結合された第１の連結管と、
前記本体ケーシングに結合され、前記第１の連結管と相対回転自在に連結された第２の連結管と、
をさらに備えることを特徴とする請求項３に記載の真空掃除機の吸込ユニット。
【請求項５】
前記本体ケーシングは、
前記中央ボディが取り付けられるボディ取付部と、前記吸込管と連通する管結合部との間に空気流路が設けられた中央部と、
前記中央部から両側にそれぞれ延長し、それぞれ前記回動ブラシの回動を案内する回動案内部を有する一対の翼部と、
を備えることを特徴とする請求項３に記載の真空掃除機の吸込ユニット。
【請求項６】
前記回動案内部は、
前記中央ボディのヒンジリブを中心に前記両側翼部にそれぞれ円弧状に設けられた案内グルーブと、
前記案内グルーブに収容されるように前記回動ブラシから突出した案内突起と、
を備えることを特徴とする請求項５に記載の真空掃除機の吸込ユニット。
【請求項７】
前記各回動ブラシの回動を元の位置に戻す弾性部材をさらに備えることを特徴とする請求項５または６に記載の真空掃除機の吸込ユニット。
【請求項８】
前記それぞれの回動ブラシは、
前記中央ボディのヒンジリブに回転自在に結合されたヒンジ部と、
前記伸縮ブラシを引出し・戻し可能に収容し、前記ヒンジ部を軸に回動し、前記補助吸込口が底面に突設された回動本体と、
を備えることを特徴とする請求項３に記載の真空掃除機の吸込ユニット。
【請求項９】
前記一対の回動ブラシが結合された前記中央ボディのヒンジリブに結合されるヒンジカバーをさらに備え、
前記ヒンジリブ、前記ヒンジカバー、前記ヒンジ部および前記回動本体には、それぞれ前記補助吸込口と前記ゴミ吸込口とを互いに連通させる空気通過孔が外周縁に沿って設けられていることを特徴とする請求項８に記載の真空掃除機の吸込ユニット。
【請求項１０】
前記伸縮ブラシと前記回動ブラシとの相互接触面のいずれか一側に設けられた板ばねと、
前記いずれか他側に長さ方向に沿って設けられ、前記板ばねと係止される複数の係止条と、
をさらに備えることを特徴とする請求項２に記載の真空掃除機の吸込ユニット。
【請求項１１】
前記回動ブラシと前記伸縮ブラシとの相互接触面のいずれか一側に引出し・戻し方向に沿って形成された案内ガイドと、
前記いずれか他側に突設され、前記案内ガイドに沿って移動可能な移動突起と、
をさらに備えることを特徴とする請求項２または１０に記載の真空掃除機の吸込ユニット。
【発明の詳細な説明】
【技術分野】
【０００１】
本発明は、真空掃除機に関し、特に、外部のゴミを吸込む真空掃除機の吸込管に着脱自在に結合される吸込ユニットに関する。
【背景技術】
【０００２】
真空掃除機は、吸込部分の構成上、例えば、室内の隅部に残存するゴミや塵埃を掃除するのが困難である。最近、かかる問題点を解消するための折畳式真空掃除機のブラシが提案されている。
【０００３】
図１乃至図４には、特許文献1に開示の折畳式真空掃除機のブラシが示されている。これらの図面を参照すると、従来の折畳式真空掃除機のブラシは、真空掃除機の吸込管（図５の１０５参照）と連結される中央ボディ１、および中央ボディ１の両側にそれぞれ回動可能に設けられている左右ボディ２、２’で構成される。中央ボディ１と左右ボディ２、２’との間にはばね３が介在し、左右ボディ２、２’を元の位置に戻す働きをする。
【０００４】
中央ボディ１は、図３においてより詳しく示されているように、下向きに開口した吸込口１１を有し、これを介して外部のゴミや塵埃（以下、「異物」と称する）が吸い込まれる。中央ボディ１の両側外周縁には、それぞれ左右ボディ２、２’の回動を案内するガイド溝１２が形成されている。また、ガイド溝１２の上部には、ばねガイドホール１３が形成され、該ばねガイドホール１３には、左右ボディ２、２’と連結されるばね３が取り付けられる。
【０００５】
かかる中央ボディ１の底面には、第１の突出部１４、第２の突出部１４’、および第３の突出部１４”が形成されている。これらの突出部のうち、第２の突出部１４’および第３の突出部１４”は、吸込溝２１、２１’と平行な一側辺を有している。第２の突出部１４’と第３の突出部１４”の中央下端に第１の突出部１４が形成されている。中央ボディ１の底面には、また、これらの突出部の外側に円周方向に沿って左右一対のシールドガイド溝１７、１７’が形成されている。
【０００６】
左右ボディ２、２’は、なお、ガイド溝１２に結合される突出ガイド２２、２２’を備えている。突出ガイド２２、２２’の上部には、ばね３が収容されるばね連結溝２４、２４’が形成され、底面の中央には吸込溝２１、２１’が形成されている。吸込溝２１、２１’は、外部の異物を中央ボディ１の吸込口１１へ案内する。また、突出ガイド２２、２２’の下端には、シールド２３、２３’が設けられ、中央ボディ１との連結部位における吸込力の損失を防ぐ働きをする。
【０００７】
また、シールド２３、２３’の上面には、シールドガイド２５、２５’が形成されている。該シールドガイド２５、２５’は、中央ボディ１の底面に形成されたシールドガイド溝１７、１７’に結合される。なお、シールドガイド溝１７、１７’は、中央ボディの中央軸線に対して相異なる半径を有している。これによって、左右ボディ２、２’のシールド２３、２３’は、相互接触しない状態で円滑な回転が可能である。
【０００８】
なお、ばね３、３’は、２つのトーションばね（Ｔｏｒｓｉｏｎ ｓｐｒｉｎｇ）からなる。各ばね３、３’は、その一側が中央ボディ１に固定され、他側が左右ボディ２、２’のばね連結溝２４、２４’にそれぞれ収まる。かかるばね３、３’は、左右ボディ２、２’が、被掃除部である、例えば、室内の家具または壁によって回転する場合、復元力を与える。
【０００９】
かかる従来の折畳式真空掃除機のブラシは、中央ボディ１の形状に合うコネクタ（図示せず）を用いて真空掃除機の吸込管に結合できる。また、真空掃除機に結合させた折畳式ブラシを用いて、例えば、室内の隅部、即ち、９０°をなすコーナー部を掃除する場合、図４のようにブラシを前進させる。すると、左右ボディ２、２’は、外部からの力によって中央ボディ１を中心に後方に回動する。これによって、中央ボディ１の吸込口１１は、床５１と壁５５との間の隅部に近接することができ、この時、矢印方向に異物が吸い込まれる。一方、当該部分を掃除した後、ブラシを後退させると、左右ボディ２、２(に加えられていた力が除去される。これによって、左右ボディ２、２’は、ばね３の提供する復元力によって元の状態に戻される。
【特許文献１】大韓民国特許公開第２００３−０００５５４５号
【発明の開示】
【発明が解決しようとする課題】
【００１０】
しかし、かかる従来の折畳式真空掃除機のブラシでは、室内の隅部を掃除することができるという長所を有しているものの、左右ボディの長さが限定されているため、比較的狭い領域の掃除のみを行うことができる。従って、数回にわたってブラシを繰り返して移動しながら掃除しなければならないため、使い勝手がよくない。従来の折畳式真空掃除機のブラシは、また、異物を吸い込む吸込口にばねが露出して内蔵されている構造上、吸い込まれる異物がばねにはさまって作動不良を引き起こす。また、ばねとその周りに次第に増える異物を除去するためのメンテナンスが困難である。
【００１１】
本発明は、上記のような問題点に鑑みてなされたものであって、本発明の目的は、被掃除部である、例えば、室内の隅部の角度や面積などに応じて吸込面積を容易に伸縮させることによって、速やかでかつ手軽に掃除することのできる真空掃除機の吸込ユニットを提供することにある。
【００１２】
本発明の他の目的は、中央ボディを中心にした左右ボディの回動が円滑であり、特に、吸い込まれる異物が内部にはさまったり固着して発生する問題を極力防止することのできる真空掃除機の吸込ユニットを提供することにある。
【課題を解決するための手段】
【００１３】
上記のような目的は、ゴミ吸込口を有し、真空掃除機の吸込管に着脱自在な吸込具本体と、前記吸込具本体に対して伸縮可能に結合され、一定の角度を有する、被掃除部の隅部に位置可変に対応し、伸縮方向に沿って前記ゴミ吸込口と連通する補助吸込口が形成されている補助吸込体と、を備える真空掃除機の吸込ユニットによって達成される。
【００１４】
ここで、前記補助吸込体は、前記吸込具本体のゴミ吸込口に回動自在に結合された左右一対の回動ブラシと、前記各回動ブラシの長さ方向に沿って引出し・戻し可能な伸縮ブラシと、を備え、前記補助吸込口は、前記回動ブラシと前記伸縮ブラシの底面にそれぞれ長さ方向に沿って形成されることができる。
【００１５】
前記吸込具本体は、前記ゴミ吸込口が下向きに開口し前記吸込管に向かうゴミ排出口を有し、前記ゴミ吸込口から下向きに延長し前記一対の回動ブラシを左右に回動自在に結合させるヒンジリブを有する中央ボディと、前記中央ボディと前記吸込管が取り付けられ、前記一対の回動ブラシを回動可能に支持する本体ケーシングと、を備えて簡単に構成することができる。なお、前記吸込管に結合された第１の連結管と、前記本体ケーシングに結合され前記第１の連結管と相対回転自在に連結された第２の連結管と、をさらに備えて構成することもできる。
【発明の効果】
【００１６】
本発明の効果として、被掃除部の、例えば、室内の隅部の角度や面積などによって伸縮ブラシを適切に伸縮させることで、吸込面積を調節した後、回動ブラシを回動させながら迅速でかつ手軽に掃除することのできる真空掃除機の吸込ユニットが提供される。
【００１７】
かかる本発明の真空掃除機の吸込ユニットは、中央ボディを中心に左右ボディの回動が円滑に行われ、特に、吸い込まれる異物が吸込部分にはさまったり固着したりすることなく、機器不良の問題を大幅に低減させる効果を奏する。
【発明を実施するための最良の形態】
【００１８】
以下、添付の図面を参照して本発明の実施の形態の一例を具体的に説明する。なお、従来の技術と関連して前述した図１乃至図５と同一の構成および名称については同一の参照番号を付する。
【００１９】
図５は、本発明に係る吸込ユニットを備える真空掃除機の斜視図である。真空掃除機１００は、図示されているように、真空発生装置（図示せず）を内蔵する掃除機本体１０１、掃除機本体１０１に結合された吸込管組立体１０２および該吸込管組立体１０２に結合され外部の異物を吸い込む、本発明に係る吸込ユニット１１０からなる。吸込管組立体１０２は、掃除機本体１０１の吸気ポート１０６に結合されるフレキシブル管１０４、吸込ユニット１１０の後方に結合される吸込管１０５および前記のフレキシブル管１４０と吸込管１０５との間に介在するハンドル管１０３を含む。
【００２０】
図６は、図５の要部拡大図で、本発明に係る吸込ユニットの斜視図であり、図７は、図６の分解斜視図であり、図８は、図７の前方から見た底面斜視図である。これらの図からわかるように、本吸込ユニット１１０は、真空掃除機１００の吸込管１０５に結合される吸込具本体１２０および該吸込具本体１２０に対して回動自在でかつ伸縮可能な補助吸込体１５０で構成される。吸込具本体１２０は、第１の連結管１１６と第２の連結管１１７とを介して吸込管１０５に結合され、該第１の連結管１１６および第２の連結管１１７は、相対回転自在に互いに連結されている。
【００２１】
吸込具本体１２０は、外観を形成する本体ケーシング１２１および該本体ケーシング１２１に内蔵される中央ボディ１４１を備える。中央ボディ１４１は、図９および図１０から良くわかるように、補助吸込体１５０の回動軸を形成するヒンジリブ１４３および後方側が開口したゴミ排出口１４２を有する。ヒンジリブ１４３には、下向きに開口したゴミ吸込口１４６が形成されており、その外周面に沿って空気通過孔１４５が形成されている。
【００２２】
本体ケーシング１２１は、下部ケース１２３と上部ケース１２２とで構成される。下部ケース１２３は、中央ボディ１４１が取り付けられる中央部１３１と、該中央部１３１の両側に延びた一対の翼部１２４、１２４’と、を備えている。中央部１３１と両側翼部１２４、１２４’は、隔壁１３０、１３０’によって区画され、これによって区画された中央部１３１には、その前後方向に沿って空気流路１３４が設けられている。また、空気流路１３４の先端には、中央ボディ１４１が取り付けられるボディ取付部１３２が形成され、後端には、第２の連結管１１７と結合される管結合部１３３が形成されている。これによって、中央ボディ１４１のゴミ排出口１４２に排出される異物は、空気流路１３４に沿って流動した後、第２の連結管１１７を介して吸込管１０５に流入される。
【００２３】
下部ケース１２３の両側翼部１２４、１２４’には、それぞれ後方に向かって一定の傾斜角をなす傾斜面１２６、１２６’が形成されている。翼部１２４、１２４’の底面の中央領域には、中央ボディ１４１のヒンジリブ１４３を中心にして円弧状をなす案内グルーブ１２５、１２５’が設けられている。案内グルーブ１２５、１２５’には、後で詳述する補助吸込体１５０の回動ブラシ１６１、１６１’に上向きに突出された案内突起１６６、１６６’が収容される。案内突起１６６、１６６’は、案内グルーブ１２５、１２５’の長さ方向に沿って移動しながら、各回動ブラシ１６１、１６１’の回動を案内する。ここで、傾斜面１２６、１２６’は、回動ブラシ１６１、１６１’を回動させる、例えば、壁や家具などと接触した場合、これによって回動ブラシ１６１、１６１’の過度な回動が制限される。
【００２４】
下部ケース１２３の両側翼部１２４、１２４’のそれぞれの底面に、ばね突起１２７、１２７’が上向きに突出されている。なお、ばね突起１２７、１２７’は、案内グルーブ１２５、１２５’とヒンジリブ１４３との間に設けられることが好ましい。ばね突起１２７、１２７’には、ねじりばね１３５、１３５’が結合され、ねじりばね１３５、１３５’の一端は、翼部１２４、１２４’に固定され、他端は、回動ブラシ１６１、１６１’に突設した案内突起１６６、１６６’に固定される。これによって、翼部１２４、１２４’に回動自在に支持される回動ブラシ１６１、１６１’は、ねじりばね１３５、１３５’の弾性力によって後述のように元の位置に戻される。
【００２５】
図１１は、図７の補助吸込体の結合状態を示す部分切取拡大斜視図であり、図１２は、図１１のＩ−Ｉ線に沿った断面図であり、また、図１３は、図１１のＩＩ−ＩＩ線に沿った断面図である。補助吸込体１５０は、一対の回動ブラシ１６１、１６１’と各回動ブラシ１６１、１６１’に収容され引出し・戻し可能な、やはり一対の伸縮ブラシ１７１、１７１’を備えている。図面においては、一側の回動ブラシ１６１および伸縮ブラシ１７１のみが示されており、以下、これらを主に説明する。
【００２６】
それぞれの回動ブラシ１６１、１６１’は、中央ボディ１４１のヒンジリブ１４３に結合されるヒンジ部１６３と、該ヒンジ部１６３から半径方向に延びた回動本体１６２とで構成される。回動本体１６２は、長方形筒状を有し、ヒンジ部１６３の反対側の端部が開口１６７となっている。回動本体１６２の底面には、上向きに突出された補助吸込口１６８が形成されている。該補助吸込口１６８は、回動本体１６２の長さ方向に沿って延長し、一端が中央ボディ１４１のゴミ吸込口１４６と連通する。該回動本体１６２の上部面には、案内突起（図７の１６６）が上向きに突出され、本体ケーシング１２１の翼部１２４に形成された案内グルーブ１２５に結合される。
【００２７】
なお、ヒンジ部１６３は、輪状を有し、中央ボディ１４１に形成されたヒンジリブ１４３の外面に回転自在に結合される。かかるヒンジ部１６３は、回動本体１６２の上下長さの約１／２の厚さを有し、回動本体１６２の一端上部に設けられている。また、他の回動ブラシ１６１’のヒンジ部１６３’は、当該回動本体１６２’の一端下部に設けられている。これによって、各ヒンジ部１６３、１６３’は、図１０からわかるように、ヒンジリブ１４３の外面において互いに重なるように結合される。
【００２８】
一方、下部に配設される回動ブラシ１６１’のヒンジ部１６３’には、その円周方向に沿ってゴミ通過孔１６５が形成されている。かかるゴミ通過孔１６５は、他側回動ブラシ１６１の補助吸込口１６８と中央ボディ１４１のゴミ吸込口１４６とを互いに連通させる働きをする。
【００２９】
また、図１０からわかるように、中央ボディ１４１のヒンジリブ１４３に重なって結合されるヒンジ部１６３、１６３’は、その下側においてヒンジリブ１４３に結合されるヒンジカバー１８１によって支持される。ヒンジカバー１８１の上側端部には、フック１８２が突出されており、ヒンジリブ１４３には、フック１８２がかみ合うフック溝１４４が形成されている。また、ヒンジカバー１８１の外周面には、空気通過孔１８５が形成されているため、補助吸込口１６８、１６８’とゴミ吸込口１４６とは互いに連通可能である。
【００３０】
なお、伸縮ブラシ１７１は、やはり長方形筒形状を有し、回動ブラシ１６１の開口１６７内に収容可能である。伸縮ブラシ１７１の底面にも回動ブラシ１６１と同様に、その長さ方向に沿って補助吸込口１７８が形成されている。ここで、回動ブラシ１６１の補助吸込口１６８は、伸縮ブラシ１７１の補助吸込口１７８とかみ合って結合され、これによって、伸縮ブラシ１７１は、回動ブラシ１６１の長さ方向に沿ってスライドして引出し・戻しすることができる。伸縮ブラシ１７１の補助吸込口１７８は、引戻し状態で、中央ボディ１４１のゴミ吸込口１４６と直接的に連通し、引出し状態では、回動ブラシ１６１の補助吸込口１６８を介してゴミ吸込口１４６と連通する。
【００３１】
伸縮ブラシ１７１の外側端部には、外向きに突出された係止リブ１７７が形成されている。該係止リブ１７７は、伸縮ブラシ１７１の回動ブラシ１６１に対する引戻しの際に、回動ブラシ１６１の開口縁と接触する。これによって、伸縮ブラシ１７１の過度な引戻し移動が制限される。
【００３２】
かかる伸縮ブラシ１７１の回動ブラシ１６１に対する位置固定は、図１１に詳しく示されている、板ばね１９１と複数の係止条１９２とによって行われる。板ばね１９１は、伸縮ブラシ１７１の外面に凹状に形成されたばね溝１９３に固定される。また、複数の係止条１９２は、回動ブラシ１６１の長さ方向に沿って内向きに突出されている。板ばね１９１は、伸縮ブラシ１７１の引出し・戻しの際に、回動ブラシ１６１の係止条１９２と係合する。なお、板ばね１９１は、回動ブラシ１６１に設けられ、係止条１９２は、伸縮ブラシ１７１に設けることもできる。
【００３３】
また、伸縮ブラシ１７１の上面には、移動突起１９６が突設されており、回動ブラシ１６１の上面には、その長さ方向に沿って案内ガイド１９５が設けられている。移動突起１９６は、移動ガイド１９５に収容され、その長さ方向に沿って移動し、それによって、伸縮ブラシ１７１は、回動ブラシ１６１に対して円滑に引出し・戻しするようにスライドできる。なお、移動突起１９６を回動ブラシ１６１に設け、案内ガイド１９５を伸縮ブラシ１７１に設けることもできる。
【００３４】
かかる構成の本発明の吸込ユニット１１０を組み立てるには、先ず、本体ケーシング１２１の下部ケース１２３に中央ボディ１４１を取り付ける。次いで、一対の回動ブラシ１６１に設けられたヒンジ部１６３、１６３’を上下に重ねて、中央ボディ１４１のヒンジリブ１４３に結合させる。ここで、下側から上向きに加圧すると、各回動ブラシ１６１、１６１’に上向きに突出された案内突起１６６、１６６’を下部ケース１２３の翼部１２４、１２４’に設けられた案内グルーブ１２５、１２５’内に収容して結合することができる。
【００３５】
このような状態で、ヒンジカバー１８１を中央ボディ１４１のヒンジリブ１４３に結合させる。すると、各回動ブラシ１６１、１６１’は、ヒンジカバー１８１と下部ケース１２３の翼部１２４、１２４’に支持され、ヒンジリブ１４３を軸に左右回動可能になる。次いで、下部ケース１２３のばね突起１２７、１２７’にねじりばね１３５、１３５’を結合させ、その両側端部をそれぞれ下部ケース１２３の底面と回動ブラシ１６１、１６１’の案内突起１６６、１６６’に固定させる。この時、ねじりばね１３５、１３５’の弾性復元力は、両側の回動ブラシ１６１、１６１’をヒンジリブ１４３を軸に相互対応するように配置させる。
【００３６】
次いで、各回動ブラシ１６１、１６１’に伸縮ブラシ１７１、１７１’を結合させる。また、それと同時にまたは別の過程で、下部ケース１２３の管結合部１３３に第１の連結管１１６が結合された第２の連結管１１７を取り付ける。次いで、下部ケース１２３の上側に上部カバー１２２を結合させると、本吸込ユニット１１０の組立が完成する。
【００３７】
かかる結合状態の本吸込ユニット１１０は、第１の連結管１１６を真空掃除機１００の吸込管１０５に結合させることができる。次いで、機器を作動させた状態で、例えば、図１４に示されたように、室内の隅部を掃除することができる。すなわち、吸込ユニット１１０を両側壁５５に隣接して配置させた上で、前方向きに加圧すると、その両側回動ブラシ１６１、１６１’が両側壁５５に対応して回動する。ここで、回動ブラシ１６１、１６１’内に収容された伸縮ブラシ１７１、１７１’を適切に引き出すことで、掃除面積を増大することができる。
【００３８】
なお、中央ボディ１４１のヒンジリブ１４３を中心に回動する両側回動ブラシ１６１、１６１’は、中央ボディ１４１の先端が両側壁５５の縁部に触れると、回動が停止する。次いで、前方向きの加圧力を解除すると、両側回動ブラシ１６１、１６１’は、ねじりばねの弾性力によって元の位置に回動する。
【図面の簡単な説明】
【００３９】
【図１】従来の吸込ユニットを示す斜視図である。
【図２】図１の底面図である。
【図３】図１の中央ボディの拡大底面斜視図である。
【図４】従来の吸込ユニットの作動を説明するための図である。
【図５】本発明に係る吸込ユニットを備えた真空掃除機の斜視図である。
【図６】図５の要部拡大図で、本発明に係る吸込ユニットの斜視図である。
【図７】図６の分解斜視図である。
【図８】図７の前方から見た底面斜視図である。
【図９】図８の部分拡大底面斜視図で、中央ボディ、補助吸込体およびヒンジカバーをより詳しく示す図である。
【図１０】図９の結合斜視図である。
【図１１】図７の補助吸込体の結合状態を示す部分切取拡大斜視図である。
【図１２】図１１のＩ−Ｉ線に沿った断面図である。
【図１３】図１１のＩＩ−ＩＩ線に沿った断面図である。
【図１４】本発明の吸込ユニットの作動を説明するための図で、上部カバーを取外した状態を示す図である。
【符号の説明】
【００４０】
１００    真空掃除機
１０５    吸込管
１１０    吸込ユニット
１１６    第１の連結管
１１７    第２の連結管
１２０    吸込具本体
１２１    本体ケーシング
１２４、１２４’    翼部
１２５、１２５’    案内グルーブ
１３１    中央部
１４１    中央ボディ
１４３    ヒンジリブ
１４５、１６５、１８５    空気通過孔
１５０    補助吸込体
１６１、１６１’    回動ブラシ
１６２、１６２’    回動本体
１６３、１６３’    ヒンジ部
１６６、１６６’    案内突起
１６８、１７８    補助吸込口
１７１、１７１’    伸縮ブラシ
１８１    ヒンジカバー
１９１    板ばね
１９２    係止条
１９５    案内ガイド
１９６    移動突起
【図１】
2004358212.tif 000003
【図２】
2004358212.tif 000004
【図３】
2004358212.tif 000005
【図４】
2004358212.tif 000006
【図５】
2004358212.tif 000007
【図６】
2004358212.tif 000008
【図７】
2004358212.tif 000009
【図８】
2004358212.tif 000010
【図９】
2004358212.tif 000011
【図１０】
2004358212.tif 000012
【図１１】
2004358212.tif 000013
【図１２】
2004358212.tif 000014
【図１３】
2004358212.tif 000015
【図１４】
2004358212.tif 000016